(57)【要約】【課題】チルトセンサー又は位置センサーを利用してステレオスピーカーを効率的に制御し得る装置及びその方法を提供する。【解決手段】本発明に係るステレオスピーカー１８、２０の制御方法においては、端末機の傾斜及び方向を感知する段階と、該感知された端末機の傾斜及び方向によって二つのステレオスピーカーの音量に差を持たせるように制御する段階と、を順次行うことを特徴とする。【選択図】図１
2006186988.tif 000002
【特許請求の範囲】
【請求項１】
端末機の傾斜及び方向を感知する段階と、
感知された前記端末機の傾斜及び方向に応じて二つのステレオスピーカーの音量に差を持たせるように制御する段階と、を順次行うことを特徴とするステレオスピーカーの制御方法。
【請求項２】
前記二つのステレオスピーカーは、
前記端末機のヒンジ部の左右側方にそれぞれ位置するステレオスピーカーであることを特徴とする請求項１記載のステレオスピーカーの制御方法。
【請求項３】
前記二つのステレオスピーカーの音量に差を持たせるように制御する段階は、
感知された前記端末機の傾斜及び方向に対応する音量を選択する段階と、
選択された音量になるように音声信号を調節して二つのステレオスピーカーに出力する段階と、を順次行うことを特徴とする請求項１記載のステレオスピーカーの制御方法。
【請求項４】
端末機の傾斜を感知するセンサーと、
感知された傾斜に対応する音量を選択して音量選択信号を出力する音量選択部と、
音声信号を発生する音声信号発生部と、
前記音量選択部から出力された音量選択信号によって第１、第２ステレオスピーカーに出力される前記音声信号に差を持たせるように調節する音量調節部と、を含んで構成されることを特徴とするステレオスピーカーの制御装置。
【請求項５】
前記第１、第２ステレオスピーカーは、
前記端末機のヒンジ部の左右側方にそれぞれ位置するステレオスピーカーであることを特徴とする請求項４記載のステレオスピーカーの制御装置。
【請求項６】
前記音量調節部は、
電圧制御増幅器であることを特徴とする請求項４記載のステレオスピーカーの制御装置。
【請求項７】
前記端末機の傾斜を感知するセンサーは、
チルトセンサー又は位置センサーであることを特徴とする請求項４記載のステレオスピーカーの制御装置。
【請求項８】
前記音量選択部は、
端末機の傾斜及び方向に対応する音量をテーブルとして格納していることを特徴とする請求項４記載のステレオスピーカーの制御装置。
【発明の詳細な説明】
【技術分野】
【０００１】
本発明は、移動通信端末機（以下、端末機ともいう）に係るもので、詳しくは、移動通信端末機における音響の立体感を生かすためのステレオスピーカーの制御装置及びその方法に関するものである。
【背景技術】
【０００２】
最近、移動通信技術の飛躍的な発達及び使用者の多様な要求によってステレオスピーカーを装着した移動通信端末機が続々と市場に発表されている。そして、現在の市場に発表されている移動通信端末機においては、チルトセンサー（tilt  sensor）を利用して音響を発生させるアプリケーション（application）のように、チルトセンサー又は位置センサーを利用した多様なアプリケーションを提供している。
【０００３】
従って、使用者は、チルトセンサー又は位置センサーとステレオスピーカーとが装着された移動通信端末機を利用してレースゲームのような３次元ゲームを楽しめるようになった。
【発明の開示】
【発明が解決しようとする課題】
【０００４】
しかしながら、このような従来の移動通信端末機においては、チルトセンサー又は位置センサーを利用した多様なアプリケーションを提供しているが、チルトセンサー又は位置センサーを利用してステレオスピーカーを制御する技術は現在まで提示されていなかった。
【０００５】
本発明は、チルトセンサー又は位置センサーを利用してステレオスピーカーを効率的に制御し得る装置及びその方法を提供することを目的とする。 
【課題を解決するための手段】
【０００６】
このような目的を達成するために、本発明に係るチルトセンサーによりアニメーションを動かす移動通信端末機におけるステレオスピーカーの制御方法においては、端末機の傾斜及び方向を感知する段階と、感知された端末機の傾斜及び方向によって二つのステレオスピーカーの音量に差を持たせるように制御する段階と、を順次行うことを特徴とする。
【０００７】
好ましくは、前記二つのステレオスピーカーは、ヒンジ部の左右側方にそれぞれ位置する。
【０００８】
また、前記二つのステレオスピーカーの音量に差を持たせるように制御する段階は、前記感知された傾斜及び方向に対応する音量を選択する段階と、選択された音量になるように音声信号を調節して二つのステレオスピーカーに出力する段階と、を順次行うことを特徴とする。
【０００９】
前記のような目的を達成するため、本発明に係る移動通信端末機におけるステレオスピーカーの制御装置においては、端末機の傾斜を感知するチルトセンサーと、感知された傾斜に対応する音量を選択して音量選択信号を出力する音量選択部と、音声信号を発生する音声信号発生部と、前記音量選択部から出力された音量選択信号によって第１、第２ステレオスピーカーに出力される音声信号に差を持たせるように調節する音量調節部と、を含むことを特徴とする。
【００１０】
好ましくは、前記第１、第２ステレオスピーカーは、ヒンジ部の左右側方にそれぞれ位置するステレオスピーカーであり、前記音量調節部は、電圧制御増幅器である。
【００１１】
好ましくは、前記音量選択部は、端末機の傾斜及び方向に対応する音量をテーブルとして格納している。
【発明の効果】
【００１２】
本発明に係る移動通信端末機のステレオスピーカーの制御装置及びその方法においては、端末機における傾斜の変化によってアニメーションの動作を変化させる場合、端末機の傾斜の変化によってステレオスピーカーの動作を共に制御することで、音響の立体感を生かし得るという効果がある。
【発明を実施するための最良の形態】
【００１３】
本発明は、チルトセンサー又は位置センサーとステレオスピーカーを装着した移動通信端末機で実現される。
【００１４】
本発明は、移動通信端末機に装着されたチルトセンサーを利用して端末機上で、ゲームを進める時にステレオスピーカーを制御する。即ち、本発明は、チルトセンサーによりアニメーションを動かすレースゲームのような３Ｄゲームをする場合、端末機の傾斜によりアニメーションの動作が変化すると、音響の立体感を生かすために二つのスピーカーの動作も共に制御する。
【００１５】
図１は、ステレオスピーカーが装着された移動通信端末機を示した斜視図で、図２は、本発明に係る移動通信端末機のステレオスピーカーの制御装置を示したブロック図である。
【００１６】
本発明の実施形態に係る移動通信端末機のステレオスピーカーの制御装置においては、図１及び図２に示したように、端末機の傾斜を感知するチルトセンサー１０と、該チルトセンサー１０で感知された傾斜によって適切な音量（効果音の大きさを含む）を選択して出力する音量選択部１２と、音声信号を発生する音声信号発生部１４と、前記音量選択部１２から出力された音量選択信号によって二つのステレオスピーカー１８、２０に出力される音声信号の音量に差を持たせるように調節する音量調節部１６と、を含む。なお、２２及び２６は、キー入力部とメインＬＣＤである。
【００１７】
二つのステレオスピーカー１８、２０は、ヒンジ部２４の左右側方にそれぞれ位置するスピーカーであり、音量調節部１６は、電圧制御増幅器等により実現される。また、チルトセンサー１０の代りに位置センサーを使用することもできる。
【００１８】
以下、このように構成された本発明の実施形態に係る移動通信端末機のステレオスピーカーの制御装置の動作について説明する。
【００１９】
図３に示したように、まず、使用者は、キー入力部２２を利用してメインＬＣＤ２６上で、特定ゲーム、例えば、オートバイレースゲームのような３Ｄゲームを選択する。この時、使用者は、ジョグキー（Jog key）の代りに端末機を傾けてアニメーションの動作を制御する。従って、もし、使用者が端末機を何れか一方向に傾けると、端末機の傾斜によってアニメーションも何れか一方向に動く。
【００２０】
もし、使用者がアニメーションの動作を調整するために端末機を傾けると、端末機に装着されたチルトセンサーは、端末機の傾斜及び方向を感知した後、該当値を音量選択部１２に出力する（Ｓ１０−Ｓ１２）。音量選択部１２は、入力された傾斜及び方向に基づいて各ステレオスピーカー１８、２０を通して出力される音量を選択して音量選択信号を音量調節部１６に出力する（Ｓ１３）。この時、音量選択部１２は、端末機の傾斜及び方向による音量をテーブルとして格納している。
【００２１】
次いで、音量調節部１６は、音量選択部１２から出力された音量選択信号によって音声信号発生部１４から出力された音声信号の音量に差を持たせるように調節してステレオスピーカー１８、２０にそれぞれ出力する（Ｓ１４、Ｓ１５）。
【００２２】
従って、二つのステレオスピーカー１８、２０の中で傾けた方向のステレオスピーカーから強い音が出てくる。
【００２３】
その反面、端末機が傾かないと、音量調節部１６は、音量選択部１２から出力された音量選択信号によって音声信号の音量を同一にして前記ステレオスピーカー１８、２０にそれぞれ出力する（Ｓ１６）。
【００２４】
このように本発明は、チルトセンサーによってアニメーションを動かすレースゲーム等のような３Ｄゲームをする時、端末機を左に傾けてアニメーションを左に動かすと、左側スピーカーから強い音が出てくるようにして、右に動かすと、右側スピーカーから強い音が出てくるようにする。
【００２５】
そして、本発明は、傾斜感知によりスピーカーの音量を調節する一例に対して説明したが、その他にも、傾斜感知による多様なシナリオを作ってそれに合わせてステレオスピーカーを制御することもできる。
【図面の簡単な説明】
【００２６】
【図１】ステレオスピーカーが装着された移動通信端末機を示した斜視図
【図２】本発明に係る移動通信端末機のステレオスピーカーの制御装置を示したブロック図
【図３】本発明に係る移動通信端末機のステレオスピーカーの制御方法を示したフローチャート
【符号の説明】
【００２７】
１０：チルトセンサー
１２：音量選択部
１４：音声信号発生部
１６：音量調節部
１８、２０：ステレオスピーカー
【図１】
2006186988.tif 000003
【図２】
2006186988.tif 000004
【図３】
2006186988.tif 000005